(57)【要約】【課題】風速及び風向の少なくとも１つの測定を簡素な構成で実現する。【解決手段】複数の音響管は、各々外部からの風を受ける一端部が離間して配置され、各々異なる周波数の共振音を発する。検出部１４は、複数の音響管の各々から発せられた共振音を検出する。導出部１６は、検出部１４が少なくとも２本の音響管の各々から発せられた共振音を検出した場合に、時間差及び音響管の一端部の位置に基づいて風向及び風速の少なくとも１つを導出する。ここで、時間差とは、共振音が検出された少なくとも２本の音響管の共振音が検出された時期の時間差を指す。また、ここで、音響管の一端部の位置とは、共振音が検出された少なくとも２本の音響管の一端部の位置を指す。【選択図】図１
2014153267.tif 000002
【特許請求の範囲】
【請求項１】
各々外部からの風を受ける一端部が離間して配置され、各々異なる周波数の共振音を発する複数の音響管と、
前記複数の音響管の各々から発せられた前記共振音を検出する検出部と、
前記検出部が少なくとも２本の音響管の各々から発せられた前記共振音を検出した場合に、前記共振音が検出された前記少なくとも２本の音響管の前記共振音が検出された時期の時間差、及び前記共振音が検出された前記少なくとも２本の音響管の一端部の位置に基づいて風向及び風速の少なくとも１つを導出する導出部と、
を含む情報処理装置。
【請求項２】
前記複数の音響管は、何れか３本の音響管の一端部の各々が三角形の頂点の各々に対応する位置に配置された３本以上の音響管を含み、
前記導出部は、前記検出部が三角形の頂点の各々に対応する位置に配置された３本の音響管の各々から発せられた前記共振音を検出した場合に、前記共振音が検出された３本の音響管の各々の前記共振音が検出された時期の時間差、及び前記共振音が検出された３本の音響管の一端部の位置に基づいて風向及び風速の少なくとも１つを導出する請求項１に記載の情報処理装置。
【請求項３】
前記導出部は、前記検出部が４本以上の音響管の各々から発せられた前記共振音を検出した場合に、三角形の頂点の各々に対応する位置に配置された３本の音響管を一組の音響管とし、組毎に風向及び風速の少なくとも１つを導出し、組毎の導出結果に基づいて、最終出力とされる風向及び風速の少なくとも１つを導出する請求項２に記載の情報処理装置。
【請求項４】
前記導出部は、前記組毎の導出結果に対して前記組毎に予め定められた重みを付与し、重みが付与された前記組毎の導出結果に基づいて、最終出力とされる風向及び風速の少なくとも１つを導出する請求項３に記載の情報処理装置。
【請求項５】
前記検出部は、音圧レベルが閾値を超えた前記共振音を検出する請求項１〜請求項４の何れか１項に記載の情報処理装置。
【請求項６】
通話用の音声を検出するマイクロフォンを更に含み、
前記検出部は、前記マイクロフォンを利用して前記共振音を検出する請求項１〜請求項５の何れか１項に記載の情報処理装置。
【請求項７】
各々外部からの風を受ける一端部が離間して配置され、各々異なる周波数の共振音を発する複数の音響管の各々から発せられた前記共振音を検出し、
少なくとも２本の音響管の各々から発せられた前記共振音を検出した場合に、前記共振音が検出された前記少なくとも２本の音響管の前記共振音が検出された時期の時間差、及び前記共振音が検出された前記少なくとも２本の音響管の一端部の位置に基づいて風向及び風速の少なくとも１つを導出することを含む情報処理方法。
【請求項８】
コンピュータに、
各々外部からの風を受ける一端部が離間して配置され、各々異なる周波数の共振音を発する複数の音響管の各々から発せられた前記共振音を検出し、
少なくとも２本の音響管の各々から発せられた前記共振音を検出した場合に、前記共振音が検出された前記少なくとも２本の音響管の前記共振音が検出された時期の時間差、及び前記共振音が検出された前記少なくとも２本の音響管の一端部の位置に基づいて風向及び風速の少なくとも１つを導出することを含む処理を実行させるための情報処理プログラム。
【発明の詳細な説明】
【技術分野】
【０００１】
開示の技術は、情報処理装置、情報処理方法及び情報処理プログラムに関する。
【背景技術】
【０００２】
従来の風速計としては、風杯型風速計、風車型風速計、超音波式風速計及び熱線式風速計が知られている。風杯型風速計は、風杯と呼ばれる羽を有する風速計である。また、風車型風速計は、前端にプロペラ形の羽を有し、かつ後端に風見安定用の尾翼を有する風速計である。超音波式風速計は、音速をＶとし、風速をＶＷとしたときに、音が風上から風下にＶ＋ＶＷの速さで伝搬し、風下から風上にＶ−ＶＷの速さで伝搬することを利用した風速計である。すなわち、向かい合わせに配した発信部（例えばスピーカ）と受信部（マイクロフォン）との間で超音波の伝播時間を測定することにより風速を測定する。熱線式風速計は、電熱線を外部に露出し、風が当たることによって電熱線から奪われる熱と発熱とが平衡したときの温度から風速を測定する風速計である。
【先行技術文献】
【特許文献】
【０００３】
【特許文献１】特開平７−８３７２６号公報
【特許文献２】特開２００３−４２８５７号公報
【特許文献３】特開２００８−２３２７９１号公報
【特許文献４】特開平５−７２２１９号公報
【発明の概要】
【発明が解決しようとする課題】
【０００４】
しかしながら、風杯型風速計、風車型風速計、超音波式風速計及び熱線式風速計は何れも情報処理装置（例えばスマートフォンやＰＤＡ（Personal Digital Assistants）など）に搭載すると、情報処理装置の小型化やコストの低廉化の妨げになる。
【０００５】
開示の技術は、１つの側面として、風速及び風向の少なくとも１つの測定を簡素な構成で実現することが目的である。
【課題を解決するための手段】
【０００６】
開示の技術は、複数の音響管が、各々外部からの風を受ける一端部が離間して配置され、各々異なる周波数の共振音を発する。また、開示の技術は、検出部が、複数の音響管の各々から発せられた共振音を検出する。そして、開示の技術は、導出部が、検出部が少なくとも２本の音響管の各々から発せられた共振音を検出した場合に、時間差及び音響管の一端部の位置に基づいて風向及び風速の少なくとも１つを導出する。ここで、時間差とは、共振音が検出された少なくとも２本の音響管の共振音が検出された時期の時間差を指す。また、ここで、音響管の一端部の位置とは、共振音が検出された少なくとも２本の音響管の一端部の位置を指す。
【発明の効果】
【０００７】
開示の技術は、風速及び風向の少なくとも１つの測定を簡素な構成で実現することができる、という効果を有する。
【図面の簡単な説明】
【０００８】
【図１】第１〜第３実施形態に係るスマートフォンの要部機能の一例を示す機能ブロック図である。
【図２】第１実施形態に係るスマートフォンの外観の一例を示す正面図である。
【図３】第１実施形態に係るスマートフォンに含まれる第１音響管、第２音響管及び第３音響管の配置例を示す模式図である。
【図４】第１〜第３実施形態に係るスマートフォンの電気系の構成の一例を示すブロック図である。
【図５】第１〜第３実施形態に係るスマートフォンによる風向及び風速測定に供する閉管の配置例を示す図である。
【図６】第１〜第３実施形態に係るスマートフォンによる風向及び風速測定の基本原理の説明に供する図である。
【図７】第１実施形態に係る風向・風速測定処理の流れの一例を示すフローチャートである。
【図８】第１実施形態に係るスマートフォンに含まれる第１音響管、第２音響管及び第３音響管の各々が発した音の音圧レベルの推移の一例を示すグラフである。
【図９】第１実施形態に係る風向・風速測定処理による風速及び風向の導出方法の説明に供する図である。
【図１０】第１実施形態に係るスマートフォンのディスプレイに風向及び風速が表示された状態の一例を示す図である。
【図１１】第１実施形態に係る風向・風速測定処理による風速及び風向の導出方法の変形例の説明に供する図である。
【図１２】第２実施形態に係るスマートフォンの外観の一例を示す正面図である。
【図１３】第２実施形態に係る風向・風速測定処理による風速及び風向の導出方法の説明に供する図である。
【図１４】第２実施形態に係る風向・風速測定処理の流れの一例を示すフローチャートである。
【図１５】第３実施形態に係るスマートフォンの外観の一例を示す正面図である。
【図１６】第３実施形態に係る風向・風速測定処理による風速及び風向の導出方法の説明に供する図である。
【図１７】第３実施形態に係る風向・風速測定処理の流れの一例を示すフローチャートである。
【図１８】数式（５）及び数式（６）の導出方法の説明に供する図である。
【図１９】数式（７）〜数式（１０）の導出方法の説明に供する図である。
【発明を実施するための形態】
【０００９】
以下、図面を参照して開示の技術の実施形態の一例を詳細に説明する。なお、以下の説明では、情報処理装置の一例として、多機能型の携帯電話機、いわゆるスマートフォンを例に挙げて説明するが、開示の技術は、これに限定されるものではない。開示の技術は、例えば、携帯型のパーソナル・コンピュータ、ＰＤＡ、据置型のパーソナル・コンピュータ又は腕時計などの種々の情報処理装置にも適用可能である。
【００１０】
［第１実施形態］
一例として図１に示すように、スマートフォン１０は、音響管ユニット１２、検出部１４及び導出部１６を含む。音響管ユニット１２は、開示の技術における複数の音響管を含む。音響管は、共振周波数の音（以下、「共振音」という）を発する。複数の音響管は、各々共振周波数が異なっている。すなわち、複数の音響管は、各々異なる周波数の共振音を発する。複数の音響管の各々の一端部は、スマートフォン１０の筐体の所定面から所定方向に露出しており、複数の音響管の各々の一端部は離間して配置されている。
【００１１】
検出部１４は、複数の音響管の各々から発せられた共振音を検出する。導出部１６は、検出部１４が複数の音響管の各々から発せられた共振音を検出した場合に、共振音が検出された複数の音響管の共振音が検出された時期の時間差、及び共振音が検出された複数の音響管の一端部の位置に基づいて風向及び風速を導出する。
【００１２】
一例として図２に示すように、スマートフォン１０は、タッチパネル・ディスプレイ２０、マイクロフォン２２及び筐体２４を含み、タッチパネル・ディスプレイ２０及びマイクロフォン２２は筐体２４に収納されている。タッチパネル・ディスプレイ２０は、透過型のタッチパネル２０Ａ及びディスプレイ２０Ｂ（例えば液晶ディスプレイ）を有しており、タッチパネル２０Ａはディスプレイ２０Ｂに重ねられている。タッチパネル２０Ａは、指示体（例えばスマートフォン１０の利用者の指又はタッチペン等）による接触を検知し、タッチパネル２０Ａ上の指示体の接触位置を示す接触位置情報を出力することで指示を受け付ける。ディスプレイ２０Ｂは筐体２４から露出しており、各種情報を表示する。
【００１３】
マイクロフォン２２は、音圧を検出する面（以下、検出面という）２２Ａを有し、検出面２２Ａで検出された音圧を電気信号に変換して出力する。
【００１４】
筐体２４は、各々円状の開口２４Ａ，２４Ｂ，２４Ｃを有する。開口２４Ａ，２４Ｂ，２４Ｃは、所定の三角形（例えば正三角形）の頂点の各々に対応する位置に配置されている。
【００１５】
一例として図３に示すように、スマートフォン１０は、検出面２２Ａと開口２４Ａ，２４Ｂ，２４Ｃ（以下、区別して説明する必要がない場合は符号を付さずに「開口」と称する）との間に音響管ユニット１２を有する。音響管ユニット１２は、第１音響管２６、第２音響管２８及び第３音響管３０（以下、区別して説明する必要がない場合は符号を付さずに「音響管」と称する）を含む。第１音響管２６、第２音響管２８及び第３音響管３０は何れも、一端部が閉じ、他端部が開いている円柱状の閉管である。
【００１６】
第１音響管２６の一端部は、筐体２４の内側から開口２４Ａに面しており、他端部が検出面２２Ａに面している。第２音響管２８の一端部は、筐体２４の内側から開口２４Ｂに面しており、他端部が検出面２２Ａに面している。第３音響管３０の一端部は、筐体２４の内側から開口２４Ｃに面しており、他端部が検出面２２Ａに面している。なお、開口を形成している縁（以下、単に「縁」という）と音響管の一端部との間に所定の段差部を設けたり、開口を所定形状に形成したりしてもよい。これにより、縁や段差部に風が当たった際に空気の渦が発生するので、音響管内での空気振動が起こり易くなる。また、音響管は、開管の一端（外部に露出する端）を膜で閉塞した閉管であってもよい。これにより、風が膜に当った際に膜が振動するので、音響管内での空気振動が起こり易くなる。
【００１７】
第１音響管２６、第２音響管２８及び第３音響管３０は、円柱軸の方向の長さが相互に異なっているため、相互に異なる周波数の共振音を発する。開管又は閉管の円柱軸の方向の長さに応じて共振音の周波数が異なることは下記の数式（１）〜（４）に示すように一般的に知られている。なお、数式（１）〜（４）において、ｎは自然数を示し、ｖは音速を示し、ｌは円柱軸方向の長さを示し、ｆは共振周波数を示す。また、数式（３），（４）において、Ｒは管の内径を示す。
【００１８】
開管：ｆ＝ｎｖ／２ｌ・・・・（１）
【００１９】
閉管：ｆ＝ｎｖ／４ｌ・・・・（２）
【００２０】
開管：ｆ＝ｎｖ／２（ｌ＋０．６１Ｒ）・・・・（３）
【００２１】
閉管：ｆ＝ｎｖ／４（１＋０．６１Ｒ）・・・・（４）
【００２２】
例えば、所定の環境下において、閉管の共振周波数は、表１に示すように閉管の長さ（円柱軸方向の長さ）に応じて異なる。なお、本第１実施形態では、第１音響管２６の円柱軸の方向の長さが１ｍｍであり、第２音響管２８の円柱軸の方向の長さが３ｍｍであり、第３音響管３０の円柱軸の方向の長さが５ｍｍである。
【００２３】
【表１】
2014153267.tif 000003
一例として図４に示すように、スマートフォン１０は、コンピュータ４０及び各種の入出力デバイスを含む。検出部１４及び導出部１６は、例えばコンピュータ４０及び各種の入出力デバイスによって実現することができる。
【００２４】
コンピュータ４０は、ＣＰＵ（Central Processing Unit）４２、揮発性のメモリ４４（例えばＲＡＭ（Random Access Memory））及び不揮発性の記憶部４６（例えばＨＤＤ（Hard Disk Drive）やフラッシュメモリなど）を備えている。ＣＰＵ４２、メモリ４４及び記憶部４６は、バス４８を介して相互に接続されている。
【００２５】
記憶部４６には、風向・風速測定処理プログラム５０が記憶されている。ＣＰＵ４２は、記憶部４６から風向・風速測定処理プログラム５０を読み出してメモリ４４に展開し、風向・風速測定処理プログラム５０が有するプロセスを順次実行する。風向・風速測定処理プログラム５０は、検出プロセス５０Ａ及び導出プロセス５０Ｂを有する。
【００２６】
ＣＰＵ４２は、検出プロセス５０Ａを実行することで、図１に示す検出部１４として動作する。また、ＣＰＵ４２は、導出プロセス５０Ｂを実行することで、図１に示す導出部１６として動作する。
【００２７】
なお、ここでは風向・風速測定処理プログラム５０を記憶部４６から読み出す場合を例示したが、必ずしも最初から記憶部４６に記憶させておく必要はない。例えば、コンピュータ４０に接続されて使用されるＳＳＤ（Solid State Drive）、ＤＶＤディスク、ＩＣカード、光磁気ディスク、ＣＤ−ＲＯＭなどの任意の「可搬型の記憶媒体」に先ずは風向・風速測定処理プログラム５０を記憶させておいてもよい。そして、コンピュータ４０がこれらの可搬型の記憶媒体からは風向・風速測定処理プログラム５０を取得して実行するようにしてもよい。また、通信回線を介してコンピュータ４０に接続される他のコンピュータ又はサーバ装置等の記憶部に風向・風速測定処理プログラム５０を記憶させておいてもよい。この場合、コンピュータ４０は他のコンピュータ又はサーバ装置等から風向・風速測定処理プログラム５０を取得して実行する。
【００２８】
スマートフォン１０は、コンピュータ４０と各種の入出力デバイスとを電気的に接続してコンピュータ４０と各種の入出力デバイスとの間の各種情報の送受信を司るインプット・アウトプット・インターフェース（Ｉ／Ｏ）６０を備えている。スマートフォン１０は、Ｉ／Ｏ６０に接続されることでバス４８を介してコンピュータ４０と電気的に接続される入出力デバイスとして、タッチパネル・ディスプレイ２０を備えている。また、入出力デバイスとして、通信部６４、送話部６６、受話部６８、スピーカ７０、ＧＰＳ受信部７２、外部インタフェース（Ｉ／Ｆ）７４及びジャイロセンサ７６も備えている。
【００２９】
通信部６４は、無線通信網の最寄の基地局との間で無線通信を行うことで、無線通信網に接続された情報処理装置（図示省略）とコンピュータ４０との間の各種情報の送受信を司る。通信部６４は、例えばアンテナ（図示省略）及びＲＦ（Radio Frequency）回路（図示省略）を含む。この場合、通信部６４は、例えば外部の情報処理装置から基地局を経由して無線で送信された信号をアンテナで受信し、受信した信号をＲＦ回路で復調処理し、受信した信号に含まれる情報をコンピュータ４０に供給する。また、通信部６４は、コンピュータ４０から供給された情報を変調処理し、アンテナを介し基地局経由で外部の情報処理装置へ送信する。
【００３０】
送話部６６は、スマートフォン１０の利用者が通話時に発した音声や風の音などによる音圧を検出し、検出した音圧を示す音データをコンピュータ４０に出力する。送話部６６は、マイクロフォン２２及び信号処理回路（図示省略）を含む。この場合、例えばマイクロフォン２２で音圧を検出し、マイクロフォン２２で検出された音圧を信号処理回路で音データに変換してコンピュータ４０へ出力する。コンピュータ４０は、通話機能が働いている状態で音データが入力された場合、入力された音データを通信部６４に出力する。
【００３１】
受話部６８は、通信部６４で受信された音声情報により示される音声を出力する。受話部６８は、例えばＤ／Ａ（デジタル／アナログ）変換回路（図示省略）、増幅器（図示省略）及びスピーカ（図示省略）を含む。この場合、例えばコンピュータ４０から供給された音声データに対してＤ／Ａ変換回路がＤ／Ａ変換を行い、Ｄ／Ａ変換後に増幅器で増幅された音声信号をスピーカに出力する。スピーカは、増幅器から入力された音声信号に応じた音声を外部に出力する。
【００３２】
スピーカ７０は、コンピュータ４０からの指示に応じて音を発する。ＧＰＳ受信部７２は、コンピュータ４０からの指示に応じてＧＰＳ衛星から電波を受信する。外部Ｉ／Ｆ７４は、外部装置（例えばパーソナル・コンピュータやＵＳＢメモリ）が接続され、外部装置とコンピュータ４０との間の各種情報送受信を司る。ジャイロセンサ７６は、スマートフォン１０の筐体の角速度を検出し、検出した角速度を示す角速度情報をコンピュータ４０へ出力する。
【００３３】
次に、スマートフォン１０による風向及び風速測定の基本原理について説明する。なお、ここでは、説明の便宜上、第１音響管２６、第２音響管２８及び第３音響管３０の何れか２つに相当する閉管の一例として図５に示す閉管Ａ，Ｂを例に挙げて説明する。
【００３４】
図５に示す例では、閉管Ａの長さがｌａであり、閉管Ｂの長さがｌｂ（＜ｌａ）であり、閉管Ａの一端部（閉じた端）と閉管Ｂの一端部との距離がｄである。そのため、風速Ｖの風が閉管Ａの一端部及び閉管Ｂの一端部に順に当たると、音速をｖとすると、先ず、閉管Ａがｎｖ／（２・ｌａ）の周波数の共振音を発し、ｄ／Ｖ秒後に閉管Ｂがｎｖ／（２・ｌｂ）の周波数の共振音を発する。なお、閉管Ａが共振音を発してから閉管Ｂが共振音を発するまでの時間は閉管Ａ，Ｂの材質、閉管Ａ，Ｂの長さ及び閉管Ａ，Ｂの断面積などによって補正することができる。
【００３５】
ここで、風速の測定可能範囲をＶ１（ｍ／ｓ）以上Ｖ２（ｍ／ｓ）以下とし、閉管Ａの共振周波数領域で音の強弱に変化が現れた場合の周波数をｆａとし、測定開始時から音の強弱の変化が現れた時点までの経過時間をｔａとする。閉管Ａが発した音が風による音であれば、閉管Ｂの共振周波数領域では、一例として図６に示すように、ｆｂ（＝ｆａ・ｌａ／ｌｂ）の周波数の共振音がｔｂ（ｓ）の間に発生する。ｔｂ（ｓ）とは、ｔａ＋ｄ／Ｖ２（ｓ）以上ｄ／Ｖ１（ｓ）以下の時間及びｔａ−ｄ／Ｖ２（ｓ）以上ｄ／Ｖ１（ｓ）以下の時間を指す。
【００３６】
従って、周波数ｆａに合致しない周波数の音及び周波数ｆｂに合致しない周波数の音は雑音であると判断することができる。また、周波数ｆａの共振音の発生時期と周波数ｆｂの共振音の発生時期から、閉管Ａの一端部から閉管Ｂの一端部へ吹いた風か、或いは閉管Ｂの一端部から閉管Ａの一端部へ吹いた風かを判断することができる。
【００３７】
なお、ここでは、風による音であるか否かの判断を、音の強弱の変化を分析することによって行う例を挙げて説明しているが、これに限らず、音の強弱のパターンを分析することによって行ってもよい。例えば、閉管Ａが発した音のパターンがｔｂ（ｓ）後に閉管Ｂが発した音のパターンと所定誤差範囲内で一致しているか否かを判断することによって、風による音であるか否かを判断するようにしてもよい。
【００３８】
次に、本第１実施形態の作用として、スマートフォン１０によって行われる風向・風速測定処理について、図７を参照して説明する。
【００３９】
図７に示す風向・風速測定処理では、先ず、ステップ１００において、検出部１４により、録音開始条件を満足したか否かが判定される。録音開始条件としては、タッチパネル２０Ａにより録音開始の指示が受け付けられたという条件や、録音開始の指示を示す録音開始指示信号が通信部６４により受信されたという条件等が挙げられる。ステップ１００において、録音開始条件を満足していない場合は、判定が否定されてステップ１００の判定が再び行われる。ステップ１００において、録音開始条件を満足した場合は、判定が肯定されてステップ１０２へ移行する。
【００４０】
ステップ１０２では、検出部１４により、マイクロフォン２２を作動させることで録音が開始される。録音が開始されると、録音が終了するまで、録音により得られた録音データがメモリ４４に時系列に記憶される。
【００４１】
次のステップ１０４では、検出部１４により、ステップ１０２の処理が行われてから所定時間（例えば１０秒）経過したか否かが判定される。ステップ１０４において、ステップ１０２の処理が行われてから所定時間経過していない場合は判定が否定されてステップ１０４の判定が再び行われる。ステップ１０４において、ステップ１０２の処理が行われてから所定時間経過した場合は、判定が肯定されてステップ１０６へ移行する。
【００４２】
ステップ１０６では、検出部１４により、マイクロフォン２２の作動を停止させることで録音が終了され、その後、ステップ１０７へ移行する。
【００４３】
ステップ１０７では、検出部１４により、メモリ４４に記憶されている録音データのうち未処理の特定時間内の録音データから基準音響管の共振周波数を対象にして周波数分析（例えば高速フーリエ変換による周波数分析）が行われる。ここで、未処理の特定時間内の録音データとは、メモリ４４に記憶されている録音データのうち未だにステップ１０７で行われる周波数分析の対象とされていない特定時間内の録音データを指す。周波数分析の対象とされていない特定時間内の録音データとは、例えば、録音データが２ｍｓ毎に区切られて得られた分割録音データのうち未だにステップ１０７で行われる周波数分析の対象とされていない分割録音データを指す。
【００４４】
ここで、基準音響管とは、第１音響管２６、第２音響管２８及び第３音響管３０のうちの予め定められた音響管を指す。本第１実施形態では、基準音響管の一例として第１音響管２６を採用しているが、これに限らず、第２音響管２８又は第３音響管３０を基準音響管としてもよい。本第１実施形態では、基準音響管の一例として第１音響管２６を採用しているため、ステップ１０７において、検出部１４は、一例として表２に示す共振周波数の範囲（例えば１５９６５Ｈｚ以上１７６４３Ｈｚ以下の範囲）を対象にして周波数分析を行っている。なお、表２に示す共振周波数の値は、所定湿度未満の環境下で得られる開口端補正を無視した値である。
【００４５】
【表２】
2014153267.tif 000004
次のステップ１０８では、検出部１４により、ステップ１０７で周波数分析が行われることで、基準音響管の共振音が検出されたか否かが判定される。ステップ１０８において、基準音響管の共振音が検出されていない場合は、判定が否定されてステップ１２６へ移行する。ステップ１０８において、基準音響管の共振音が検出された場合は、判定が肯定されてステップ１１０へ移行する。
【００４６】
ステップ１１０では、検出部１４により、ステップ１０８で検出された共振音の音圧レベルが所定の音圧レベル以上であるか否かが判定される。なお、所定の音圧レベルの一例としては、例えば風による音の音圧レベルとして実験やシミュレーション等によって事前に得られた音圧レベルが挙げられる。ステップ１１０において、ステップ１０８で検出された共振音の音圧レベルが所定の音圧レベル未満である場合は、判定が否定されてステップ１２６へ移行する。ステップ１１０において、ステップ１０８で検出された共振音の音圧レベルが所定の音圧レベル以上である場合は、判定が肯定されてステップ１１２へ移行する。
【００４７】
ステップ１１２では、導出部１６により、基準音響管タグが付与された現在の時刻がメモリ４４に記憶され、その後、ステップ１１３へ移行する。ここで、基準音響管タグとは、例えばステップ１１２で記憶された時刻に共振音を発した基準音響管を特定する情報を指す。
【００４８】
ステップ１１３では、メモリ４４に記憶されている録音データのうち特定の時間帯の録音データから他の全ての音響管の各々の共振周波数を対象にして周波数分析が行われたか（ステップ１１４が行われたか）否かが判定される。ここで、特定の時間帯の録音データとは、例えばメモリ４４に記憶されている録音データのうちステップ１１２でメモリ４４に記憶された時刻を中心として所定時間（例えば３ｍｓ）で区切られた録音データを指す。また、ここで、他の全ての音響管とは、例えば第２音響管２８及び第３音響管３０を指す。
【００４９】
ステップ１１３において、メモリ４４に記憶されている録音データのうち特定の時間帯の録音データから他の全ての音響管の各々の共振周波数を対象にして周波数分析が行われた場合は、判定が肯定されてステップ１２０へ移行する。ステップ１１３において、メモリ４４に記憶されている録音データのうち特定の時間帯の録音データから他の全ての音響管の各々の共振周波数を対象にして周波数分析が行われていない場合は、判定が否定されてステップ１１４へ移行する
【００５０】
ステップ１１４では、検出部１４により、メモリ４４に記憶されている録音データのうち特定の時間帯の録音データから他の音響管の共振周波数を対象にして周波数分析が行われ、その後、ステップ１１５へ移行する。ここで、他の音響管とは、例えば第２音響管２８及び第３音響管３０のうち、未だにステップ１１４で行われる周波数分析の対象とされていない１本の音響管を指す。
【００５１】
ステップ１１５では、検出部１４により、ステップ１１４で周波数分析が行われることで、他の音響管の共振音が検出されたか否かが判定される。ステップ１１５において、他の音響管の共振音が検出されていない場合は、判定が否定されてステップ１１３へ移行する。ステップ１１５において、他の音響管の共振音が検出された場合は、判定が肯定されてステップ１１６へ移行する。
【００５２】
ステップ１１６では、検出部１４により、ステップ１１５で検出された共振音の音圧レベルが所定の音圧レベル以上であるか否かが判定される。ステップ１１６において、ステップ１１５で検出された共振音の音圧レベルが所定の音圧レベル未満である場合は、判定が否定されてステップ１１３へ移行する。ステップ１１６において、ステップ１１５で検出された共振音の音圧レベルが所定の音圧レベル以上である場合は、判定が肯定されてステップ１１８へ移行する。
【００５３】
ステップ１１８では、導出部１６により、音響管タグが付与された現在の時刻がメモリ４４に記憶され、その後、ステップ１１３へ移行する。ここで、音響管タグとは、例えばステップ１１８で記憶された時刻に共振音を発した音響管を特定する情報を指す。
【００５４】
ステップ１２０では、導出部１６により、第１音響管２６、第２音響管２８及び第３音響管３０の各々が発した共振音の発生時刻がメモリ４４に記憶されているか否かが判定される。ステップ１２０において、第１音響管２６、第２音響管２８及び第３音響管３０の各々が発した共振音の発生時刻がメモリ４４に記憶されていない場合は、判定が否定されてステップ１２６へ移行する。ステップ１２０において、第１音響管２６、第２音響管２８及び第３音響管３０の各々が発した共振音の発生時刻がメモリ４４に記憶されている場合は、判定が肯定されてステップ１２１へ移行する。
【００５５】
ステップ１２１では、導出部１６により、メモリ４４に記憶されている基準音響管タグが付与されている時刻と音響管タグが付与されている時刻との時間差に基づいて、雑音が共振音として誤検出されたか否かが判定される。つまり、ステップ１２１において、導出部１６は、ステップ１０８及びステップ１１５の少なくとも一方で雑音が共振音として誤検出されたか否かを判定する。ここで、時間差は、測定対象風速範囲の範囲及び基準音響管の一端部と基準音響管以外の各音響管の一端部との距離によって一意に定まる。本第１実施形態では、測定対象風速範囲を風速５ｍ／ｓ以上２０ｍ／ｓ以下とし、基準音響管の一端部と基準音響管以外の各音響管の一端部との距離を１ｃｍとしている。そのため、基準音響管タグが付与されている時刻と音響管タグが付与されている時刻との時間差が０．５ｍｓ以上２ｍｓ以下の範囲内にない時間差であれば、導出部１６により、雑音が共振音として誤検出されたと判定される。ここで、雑音とは、例えば風による音以外の音を指す。
【００５６】
ステップ１２１において、雑音が共振音として誤検出された場合は、判定が肯定されてステップ１２６へ移行する。ステップ１２１において、雑音が共振音として誤検出されていない場合は、判定が否定されてステップ１２２へ移行する。
【００５７】
ステップ１２２では、導出部１６により、メモリ４４に記憶されている基準音響管タグが付与されている時刻と音響管タグが付与されている時刻との時間差に基づいて風速及び風向が導出される。
【００５８】
図８に示す例では、時間帯Ａにおいて、第１音響管２６が所定音圧レベル以上の共振音を発してから第３音響管３０が所定音圧レベル以上の共振音を発するまでの時間差は０．５ｍｓである。また、時間帯Ａにおいて、第１音響管２６が所定音圧レベル以上の共振音を発してから第２音響管２８が所定音圧レベル以上の共振音を発するまでの時間差は１ｍｓである。この場合、第１音響管２６の一端部から第３音響管３０の一端部にかけての風速は２０ｍ／ｓ（＝１ｃｍ／０．５ｍｓ）であり、第１音響管２６の一端部から第２音響管２８の一端部にかけての風速は１０ｍ／ｓ（＝１ｃｍ／１ｍｓ）である。
【００５９】
ここで、一例として図９に示すように、第１音響管２６と第３音響管３０とを結ぶ直線から角度αの方向に風速Ｖの風が吹いている場合、第１音響管２６から第３音響管３０の方向への風速成分ＶｘはＶ／ｃｏｓαである。また、第１音響管２６から第２音響管２８の方向への風速成分ＶｙはＶ／ｓｉｎαである。よって、風速Ｖは、下記の数式（５）によって導出される。従って、Ｖｘ＝２０ｍ／ｓ及びＶｙ＝１０ｍ／ｓとすると、導出部１６によって数式（５）から導出される風速Ｖは８．９４ｍ／ｓである。
【００６０】
｜Ｖ｜＝(Ｖｘ―２+Ｖｙ―２)―１／２・・・・・・・（５）
【００６１】
また、風向は、第１音響管２６が共振音を発した時刻と第２音響管２８及び第３音響管３０が共振音を発した時刻との先後関係及び下記の数式（６）によって導出される。Ｖｘ＝２０ｍ／ｓ及びＶｙ＝１０ｍ／ｓとすると、導出部１６によって数式（６）から導出される角度αは約６４度である。また、第１音響管２６が共振音を発した時刻よりも第２音響管２８及び第３音響管３０が共振音を発した時刻の方が遅い。従って、風向は、第１音響管２６から第３音響管３０への方向を、第１音響管２６を軸にして第２音響管２８の方向へ約６４度回転させた方向である。なお、風向を東経北緯で特定する場合、導出部１６は、ＧＰＳ受信部７２で受信された電波に基づいて算出された位置情報及びジャイロセンサ７６で検出された角速度に基づいて特定されたスマートフォン１０の向きを更に加味して風向を導出すればよい。
【００６２】
ｔａｎα＝Ｖｘ／Ｖｙ・・・・・・・（６）
【００６３】
また、図８に示す例では、時間帯Ｂにおいて、第１音響管２６が所定音圧レベル以上の音を発した時刻と第３音響管３０が所定音圧レベル以上の音を発した時刻との時間差はない。また、時間帯Ｂにおいて、第１音響管２６が所定音圧レベル以上の音を発した時刻と第２音響管２８が所定音圧レベル以上の音を発した時刻との時間差は０．５ｍｓ未満である。この場合、第１音響管２６、第２音響管２８及び第３音響管３０の共振周波数の音は雑音であるとステップ１２１で判定されるため、ステップ１２２で風向及び風速が導出されない。
【００６４】
更に、図８に示す例では、時間帯Ｃにおいて、第１音響管２６が所定音圧レベル以上の共振音を発した時刻と第２音響管２８が所定音圧レベル以上の共振音を発した時刻との時間差はない。また、時間帯Ｃにおいて、第１音響管２６が所定音圧レベル以上の共振音を発した時刻と第３音響管３０が所定音圧レベル以上の共振音を発した時刻との時間差は１ｍｓである。この場合、第３音響管３０の一端部から第１音響管２６及び第２音響管２８の各々の一端部にかけての風速は１０ｍ／ｓ（１ｃｍ／１ｍｓ）である。従って、導出部１６によって数式（５）から導出される風速は、７．０７ｍ／ｓである。また、数式（６）及び共振音の発生時刻に基づいて導出部１６によって導出される風向は、第３音響管３０から第１音響管２６と第２音響管２８との中間に向かう方向である。
【００６５】
ステップ１２４では、導出部１６により、ステップ１２２で導出された風速及び風向を示す情報をディスプレイ２０Ｂに表示させ、その後、ステップ１２６へ移行する。このようにステップ１２４の処理が導出部１６によって行われることで、ディスプレイ２０Ｂには、一例として図１０に示すように風速及び風向を示す情報が表示される。すなわち、風向が矢印の画像で表示され、風速がテキスト情報で表示されている。なお、ここでは、風速及び風向を示す情報をディスプレイ２０Ｂにより可視表示されているが、これに限らず、スピーカ７０により可聴表示されてもよいし、可視表示及び可聴表示を組み合わせてもよい。
【００６６】
ステップ１２６では、導出部１６により、メモリ４４に記憶されている全ての録音データが共振音の検出対象（ステップ１０７の周波数分析の対象）とされたか否かが判定される。ステップ１２６において、メモリ４４に記憶されている全ての録音データが共振音の検出対象とされていない場合は、判定が否定されてステップ１０７へ移行する。ステップ１２６において、メモリ４４に記憶されている全ての録音データが共振音の検出対象とされた場合は、判定が肯定されて風向・風速測定処理を終了する。
【００６７】
以上説明したように、本第１実施形態では、第１音響管２６、第２音響管２８及び第３音響管３０の各々が発した異なる周波数の共振音が検出部１４により検出される。そして、検出部１４により異なる周波数の共振音が検出された場合に、検出された時期の時間差と、検出された音の各々を発した音響管の各々の一端部の位置とに基づいて風向及び風速が導出される。従って、本第１実施形態に係るスマートフォン１０は、風速及び風向の測定を簡素な構成で実現することができる。
【００６８】
また、本第１実施形態では、共振音が検出された音響管の各々の共振音が検出された時期の時間差と、音響管の各々の一端部の位置とに基づいて風向及び風速が導出される。従って、本第１実施形態に係るスマートフォン１０は、風速及び風向を高精度に測定することができる。
【００６９】
また、本第１実施形態では、音圧レベルが所定の音圧レベルを超えた共振音が検出部１４によって検出される。従って、本第１実施形態に係るスマートフォン１０は、風の音以外の音（雑音）に基づいて風速及び風向が導出されることを抑制することができる。
【００７０】
また、本第１実施形態では、通話用のマイクロフォン２２を利用して共振音が検出部１４によって検出される。従って、本第１実施形態に係るスマートフォン１０は、簡素な構成で共振音を検出することができる。
【００７１】
なお、上記第１実施形態では、第１音響管２６の一端部と第２音響管２８の一端部とを結ぶ直線と第１音響管２６の一端部と第３音響管３０の一端部とを結ぶ直線とで成す角度が９０度とされているが、開示の技術はこれに限定されるものではない。例えば図１１に示すように第１音響管２６の一端部と第２音響管２８の一端部とを結ぶ直線と第１音響管２６の一端部と第３音響管３０の一端部とを結ぶ直線とで成す角度を９０度以外の角度ｗとしてもよい。
【００７２】
この場合、第１音響管２６の一端部と第３音響管３０の一端部とを結ぶ直線から角度αの方向に風速Ｖの風が吹いている場合、第１音響管２６から第３音響管３０の方向への風速成分ＶｘはＶ／ｃｏｓαである。また、第１音響管２６から第３音響管３０の方向への風速成分Ｖｘと垂直の風速成分ＶｙはＶ／ｓｉｎαである。また、第１音響管２６から第２音響管２８の方向への風速成分ＶＷはＶｙ／ｓｉｎｗである。従って、図１１に示す例において、風速Ｖは、下記の数式（７）によって導出される。また、風向は、第１音響管２６が共振音を発した時刻と第２音響管２８及び第３音響管３０が共振音を発した時刻との先後関係及び数式（８）によって導出される。
【００７３】
【数１】
2014153267.tif 000005
また、上記第１実施形態では、基準音響管を定めて風速及び風向を導出したが、これに限らず、基準音響管を定めずに風速及び風向を導出してもよく、この場合、例えば、第１・第２時間差と第２・第３時間差とに基づいて風速及び風向を導出する例が挙げられる。ここで、第１・第２時間差とは、第１音響管２６が発した共振音の発生時刻と第２音響管２８が発した共振音の発生時刻との時間差を指す。第２・第３時間差とは、第２音響管２８が発した共振音の発生時刻と第３音響管３０が発した共振音の発生時刻との時間差を指す。この場合、導出部１６は、第１・第２時間差に基づいて導出された風速成分及び第２・第３時間差に基づいて導出された風速成分に基づいて最終出力とされる風速を導出すればよい。また、導出部１６は、第１・第２時間差と、第２・第３時間差と、第１・第２時間差に基づいて導出された風速成分と、第２・第３時間差に基づいて導出された風速成分と、に基づいて風向を導出すればよい。
【００７４】
また、上記第１実施形態では、共振音の発生時刻間の時間差と共振音を発した各音響管の一端部間の距離とを用いて演算式（例えば数式（５），（６））から風速及び風向を導出する場合を例示したが、開示の技術はこれに限定されるものではない。例えば、基準音響管及び他の２本の音響管から得られる各時間差を入力とし、各時間差と第１音響管２６、第２音響管２８及び第３音響管３０の各一端部の位置とから一意に定まる風速及び風向を出力とするテーブルを用いて風速及び風向を導出してもよい。ここで、各時間差と第１音響管２６、第２音響管２８及び第３音響管３０の各一端部の位置とから一意に定まる風速及び風向としては、例えば上記第１実施形態で説明した演算式に基づいて予め導出された風速及び風向が挙げられる。
【００７５】
また、上記第１実施形態では、第１音響管２６、第２音響管２８及び第３音響管３０として閉管を例示したが、これに限らず、第１音響管２６、第２音響管２８及び第３音響管３０の各々を開管としてもよい。この場合も、閉管と同様に、例えば、表３に示すように、開管の長さに応じて共振周波数は異なる。
【００７６】
【表３】
2014153267.tif 000006
また、上記第１実施形態では、第１音響管２６、第２音響管２８及び第３音響管３０は何れも円柱状であるが、これに限らず、蛇行した形状であってもよい。また、第１音響管２６、第２音響管２８及び第３音響管３０の少なくとも１つの内壁に起伏を与えたり、内壁に膜を設けたりすることで、風による音が発生し易くするようにしてもよい。
【００７７】
［第２実施形態］
上記第１実施形態では、３本の音響管を用いて風速及び風向を導出する例を挙げて説明したが、本第２実施形態では４本の音響管を用いて風速及び風向を導出する場合について説明する。なお、本第２実施形態では、上記第１実施形態で説明した構成要素と同一の構成要素に同一の符号を付し、説明を省略する。
【００７８】
一例として図１２に示すように、本第２実施形態に係るスマートフォン１０Ａは、上記第１実施形態で説明したスマートフォン１０と比較して、開口２４Ａ，２４Ｂ，２４Ｃに代えて開口２４Ｄ，２４Ｅ，２４Ｆ，２４Ｇを設けた点が異なっている。開口２４Ｄ，２４Ｅ，２４Ｆ，２４Ｇは何れも円状に形成されており、所定の四角形（例えば長方形）の頂点の各々に対応する位置に配置されている。
【００７９】
一例として図１３に示すように、スマートフォン１０Ａは、第１音響管２６、第２音響管２８、第３音響管３０及び第４音響管３２を有する。第４音響管３２は、第１音響管２６、第２音響管２８及び第３音響管３０の何れとも長さが異なっており、第１音響管２６、第２音響管２８及び第３音響管３０の各々が有する共振周波数とは異なる共振周波数を有する。第１音響管２６、第２音響管２８、第３音響管３０及び第４音響管３２は、筐体２４に収納されている。第１音響管２６の一端部は、筐体２４の内側から開口２４Ｄに面している。第２音響管２８の一端部は、筐体２４の内側から開口２４Ｅに面している。第３音響管３０の一端部は、筐体２４の内側から開口２４Ｆに面している。第４音響管３２の一端部は、筐体２４の内側から開口２４Ｇに面しており、第４音響管３２の他端部は、検出面２２Ａに面している。
【００８０】
また、第１音響管２６、第２音響管２８、第３音響管３０及び第４音響管３２は、３本の音響管が一組とされた複数の組に大別される。本第２実施形態では、第１音響管２６、第２音響管２８及び第３音響管３０を第１の組とし、第１音響管２６、第２音響管２８及び第４音響管３２を第２の組とし、第１音響管２６、第３音響管３０及び第４音響管３２を第３の組としている。
【００８１】
次に、本第２実施形態の作用として、スマートフォン１０Ａによって行われる風向・風速測定処理について、図１４を参照して説明する。図１４に示す風向・風速測定処理は、図７に示す風向・風速測定処理と比較して、ステップ１０８〜ステップ１２６に代えてステップ２００〜ステップ２２８を設けた点が異なっている。なお、本第２実施形態では、上記第１実施形態で説明したステップと同一のステップに同一の符号を付して、説明を省略する。
【００８２】
図１４に示す風向・風速測定処理では、ステップ２００において、導出部１６により、第１〜第３の組から注目組が設定される。ここで、注目組とは、例えばステップ２１６で参考用の風速及び風向を導出する上で未だに用いられていない一組を指す。
【００８３】
次のステップ２０１では、検出部１４により、メモリ４４に記憶されている録音データのうち未処理の特定時間内の録音データからステップ２００で設定された注目組に含まれる基準音響管の共振周波数を対象にして周波数分析が行われる。なお、ここでは、基準音響管の一例として第１音響管２６を採用しているが、第２音響管２８、第３音響管３０を採用してもよい。
【００８４】
次のステップ２０２では、検出部１４により、ステップ２０１で周波数分析が行われることで、基準音響管の共振音が検出されたか否かが判定される。ステップ２０２において、基準音響管の共振音が検出されていない場合は、判定が否定されてステップ２２０へ移行する。ステップ２０２において、基準音響管の共振音が検出された場合は、判定が肯定されてステップ２０４へ移行する。
【００８５】
ステップ２０４では、検出部１４により、ステップ２０２で検出された共振音の音圧レベルが所定の音圧レベル以上であるか否かが判定される。ステップ２０４において、ステップ２０２で検出された共振音の音圧レベルが所定の音圧レベル未満である場合は、判定が否定されてステップ２２０へ移行する。ステップ２０４において、ステップ２０２で検出された共振音の音圧レベルが所定の音圧レベル以上である場合は、判定が肯定されてステップ２０６へ移行する。
【００８６】
ステップ２０６では、導出部１６により、基準音響管タグが付与された現在の時刻がメモリ４４に記憶され、その後、ステップ２０７へ移行する。ここで、基準音響管タグとは、例えばステップ２０６で記憶された時刻に共振音を発した基準音響管を特定する情報を指す。
【００８７】
ステップ２０７では、メモリ４４に記憶されている録音データのうち特定の時間帯の録音データから他の全ての音響管の各々の共振周波数を対象にして周波数分析が行われたか（ステップ２０８が行われたか）否かが判定される。ここで、特定の時間帯の録音データとは、例えばメモリ４４に記憶されている録音データのうちステップ２０６でメモリ４４に記憶された時刻を中心として所定時間（例えば３ｍｓ）で区切られた録音データを指す。また、ここで、他の全ての音響管とは、例えばステップ２００で設定された注目組に含まれる基準音響管以外の２本の音響管を指す。
【００８８】
ステップ２０７において、メモリ４４に記憶されている録音データのうち特定の時間帯の録音データから他の全ての音響管の各々の共振周波数を対象にして周波数分析が行われた場合は、判定が肯定されてステップ２１４へ移行する。ステップ２０７において、メモリ４４に記憶されている録音データのうち特定の時間帯の録音データから他の全ての音響管の各々の共振周波数を対象にして周波数分析が行われていない場合は、判定が否定されてステップ２０８へ移行する
【００８９】
ステップ２０８では、検出部１４により、メモリ４４に記憶されている録音データのうち特定の時間帯の録音データからステップ２００で設定された注目組に含まれる他の音響管の共振周波数を対象にして周波数分析が行われ、その後、ステップ２０９へ移行する。ここで、他の音響管とは、例えばステップ２００で設定された注目組に含まれる基準音響管以外の２本の音響管のうち、未だにステップ２０８で行われる周波数分析の対象とされていない１本の音響管を指す。
【００９０】
ステップ２０９では、検出部１４により、ステップ２０８で周波数分析が行われることで、他の音響管の共振音が検出されたか否かが判定される。ステップ２０９において、他の音響管の共振音が検出されていない場合は、判定が否定されてステップ２０７へ移行する。ステップ２０９において、他の音響管の共振音が検出された場合は、判定が肯定されてステップ２１０へ移行する。
【００９１】
ステップ２１０では、検出部１４により、ステップ２０８で検出された共振音の音圧レベルが所定の音圧レベル以上であるか否かが判定される。ステップ２１０において、ステップ２０８で検出された共振音の音圧レベルが所定の音圧レベル未満である場合は、判定が否定されてステップ２０７へ移行する。ステップ２１０において、ステップ２０８で検出された共振音の音圧レベルが所定の音圧レベル以上である場合は、判定が肯定されてステップ２１２へ移行する。
【００９２】
ステップ２１２では、導出部１６により、音響管タグが付与された現在の時刻がメモリ４４に記憶され、その後、ステップ２０７へ移行する。ここで、音響管タグとは、例えばステップ２１２で記憶された時刻に共振音を発した音響管を特定する情報を指す。
【００９３】
ステップ２１４では、導出部１６により、ステップ２００で設定された注目組に含まれる３本の音響管の各々が発した共振音の発生時刻がメモリ４４に記憶されているか否かが判定される。
【００９４】
ステップ２１４において、ステップ２００で設定された注目組に含まれる３本の音響管の各々が発した共振音の発生時刻がメモリ４４に記憶されていない場合は、判定が否定されてステップ２２０へ移行する。ステップ２１４において、ステップ２００で設定された注目組に含まれる３本の音響管の各々が発した共振音の発生時刻がメモリ４４に記憶されている場合は、判定が肯定されてステップ２１５へ移行する。
【００９５】
ステップ２１５では、導出部１６により、メモリ４４に記憶されている基準音響管タグが付与されている時刻と音響管タグが付与されている時刻との時間差に基づいて、雑音が共振音として誤検出されたか否かが判定される。つまり、ステップ２１５において、導出部１６は、ステップ２０２及びステップ２０９の少なくとも一方で雑音が共振音として誤検出されたか否かを判定する。本第２実施形態では、測定対象風速範囲を風速５ｍ／ｓ以上２０ｍ／ｓ以下とし、第１音響管２６の一端部と第２及び第３音響管２８，３０の各一端部との距離を１ｃｍとし、第４音響管３２の一端部と第２及び第３音響管２８，３０の各一端部との距離を１ｃｍとし、第１音響管２６の一端部と第４音響管３２の一端部との距離を１．４ｃｍとしている。そのため、基準音響管タグが付与されている時刻と第２音響管２８及び第３音響管３０を特定する音響管タグが付与されている時刻との時間差が０．５ｍｓ以上２ｍｓ以下の範囲内にない時間差であれば、雑音が共振音として誤検出されたと判定される。また、基準音響管タグが付与されている時刻と第４音響管３２を特定する音響管タグが付与されている時刻との時間差が０．７ｍｓ以上２．８ｍｓ以下の範囲内になく、且つ基準音響管タグが付与されていない第２音響管２８若しくは第３音響管３０を特定する音響管タグが付与されている時刻との時間差が０．５ｍｓ以上２ｍｓ以下の範囲内にない時間差であれば、雑音が共振音として誤検出されたと判定される。
【００９６】
ステップ２１５において、雑音が共振音として誤検出された場合は、判定が肯定されてステップ２２０へ移行する。ステップ２１５において、雑音が共振音として誤検出されていない場合は、判定が否定されてステップ２１６へ移行する。
【００９７】
ステップ２１６では、導出部１６により、メモリ４４に記憶されている基準音響管タグが付与されている時刻と音響管タグが付与されている時刻との時間差に基づいて参考用の風速及び風向が導出される。ここで、参考用の風速及び風向とは、現在設定されている注目組に含まれる３本の音響管を用いて導出される風速及び風向であって、最終的に出力される風速及び風向を導出する際に参考にされる風速及び風向のことである。
【００９８】
ステップ２１６において、導出部１６は、現在設定されている注目組に含まれる３本の音響管が第１音響管２６、第２音響管２８及び第３音響管３０であれば、上記第１実施形態で説明したように参考用の風速を数式（５）に基づいて導出する。また、導出部１６は、参考用の風向を、上記第１実施形態で説明したように第１音響管２６が共振音を発した時刻と第２音響管２８及び第３音響管３０が共振音を発した時刻との先後関係及び数式（６）に基づいて導出する。
【００９９】
また、ステップ２１６において、導出部１６は、現在設定されている注目組に含まれる３本の音響管が第１音響管２６、第３音響管３０及び第４音響管３２であれば、参考用の風速を数式（７）に基づいて導出する。また、導出部１６は、参考用の風向を、第１音響管２６が共振周波数の音を発した時刻と第３音響管３０及び第４音響管３２が共振周波数の音を発した時刻との先後関係及び数式（８）に基づいて導出する。
【０１００】
また、ステップ２１６において、導出部１６は、現在設定されている注目組に含まれる３本の音響管が第１音響管２６、第２音響管２８及び第４音響管３２であれば、参考用の風速を、下記数式（９）に基づいて導出する。また、導出部１６は、参考用の風向を、第１音響管２６が共振音を発した時刻と第２音響管２８及び第４音響管３２が共振音を発した時刻との先後関係及び下記数式（１０）に基づいて導出する。
【０１０１】
【数２】
2014153267.tif 000007
次のステップ２１８では、導出部１６により、ステップ２１６で導出された参考用の風速及び風向が、現在設定されている注目組を特定する組特定情報及び録音データの時間帯と対応付けられた状態でメモリ４４に記憶され、その後、ステップ２２０へ移行する。ここで、録音データの時間帯とは、例えばステップ２０８で用いられた特定の時間帯を指す。
【０１０２】
ステップ２２０では、導出部１６により、メモリ４４に記憶されている全ての録音データが共振音の検出対象（ステップ２０１の周波数分析の対象）とされたか否かが判定される。ステップ２２０において、メモリ４４に記憶されている全ての録音データが共振音の検出対象とされていない場合は、判定が否定されてステップ２０１へ移行する。ステップ２２０において、メモリ４４に記憶されている全ての録音データが共振音の検出対象とされた場合は、判定が肯定されてステップ２２１へ移行する。
【０１０３】
ステップ２２１では、導出部１６により、第１〜第３の組の各々についてステップ２０１〜ステップ２２０の処理が行われたか否かが判定される。ステップ２２１において、第１〜第３の組の各々についてステップ２０１〜ステップ２２０の処理が行われていない場合は、判定が否定されてステップ２００へ移行する。ステップ２２１において、第１〜第３の組の各々についてステップ２０１〜ステップ２２０の処理が行われた場合は、判定が肯定されてステップ２２２へ移行する。
【０１０４】
ステップ２２２では、導出部１６により、メモリ４４に参考用の風速及び風向が記憶されているか否かが判定される。ステップ２２２において、メモリ４４に参考用の風速及び風向が記憶されていない場合は、判定が否定されて風向・風速測定処理を終了する。ステップ２２２において、メモリ４４に参考用の風速及び風向が記憶されている場合は、判定が肯定されてステップ２２３へ移行する。
【０１０５】
ステップ２２３では、導出部１６により、メモリ４４に記憶されている１〜第３の組の各々の参考用の風速及び風向のうち、注目時間帯の参考用の風速及び風向が取得される。ここで、注目時間帯とは、例えばメモリ４４に記憶されている参考用の風速及び風向に対応付けられている時間帯のうち、ステップ２２３において未だに注目時間帯とされていない最も過去の時間帯を指す。
【０１０６】
次のステップ２２４では、導出部１６により、ステップ２２３で取得された参考用の風速及び風向に基づいて、最終出力とされる風速及び風向が導出される。
【０１０７】
ステップ２２４において、導出部１６は、ステップ２２３で第１〜第３の組のうちの一組の参考用の風速及び風向が取得された場合、ステップ２２３で取得された参考用の風速及び風向を最終出力とされる風速及び風向として導出する。
【０１０８】
また、ステップ２２４において、導出部１６は、ステップ２２３で第１〜第３の組のうちの第１の組の参考用の風速及び風向と第２又は第３の組の参考用の風速及び風向とが取得された場合、第２又は第３の組の参考用の風速及び風向に対して重みを付与する。そして、重みを付与した参考用の風速及び風向及び他の組の参考用の風速及び風向に基づいて最終出力とされる風速及び風向を導出する。この場合、最終出力とされる風速及び風向の一例としては、第２又は第３の組から導出された参考用の風速及び風向を２倍して得た参考用の風速及び風向と第１の組から導出された参考用の風速及び風向との和を３で除して得た風速及び風向が挙げられる。なお、第２又は第３の組の参考用の風速及び風向に重みを付与するのは、第１音響管２６の一端部と他の各音響管の一端部との距離のうち第１音響管３２の一端部と第４音響管３２の一端部との距離が最も長く、ここから得た時間差の信頼性が最も高いからである。
【０１０９】
また、ステップ２２４において、導出部１６は、ステップ２２３で第１〜第３の組の各々の参考用の風速及び風向が取得された場合、第２及び第３の組の参考用の風速及び風向に対して重みを付与する。そして、重みを付与した参考用の風速及び風向及び第１の組の参考用の風速及び風向に基づいて最終出力とされる風速及び風向を導出する。この場合、最終出力とされる風速及び風向の一例としては、第２及び第３の組の各々から導出された参考用の風速及び風向を各々２倍して得た参考用の風速及び風向と第１の組から導出された参考用の風速及び風向との和を３で除して得た風速及び風向が挙げられる。なお、最終出力とされる風速及び風向の他の一例としては、第２及び第３の組の各々から導出された参考用の風速及び風向の平均値が挙げられる。
【０１１０】
なお、本第２実施形態では、参考用の風速及び風向に対して重みを付与する例を挙げて説明しているが、開示の技術はこれに限定されるものではない。例えば、参考用の風速及び風向に対して重みを付与せずに特定の組の参考用の風向及び風速をそのまま最終出力の風向及び風速としてもよいし、第１〜第３の組の各々で得られた参考用の風向及び風速の平均値を最終出力の風向及び風速としてもよい。
【０１１１】
次のステップ２２６では、導出部１６により、ステップ２２４で導出された風速及び風向を示す情報をディスプレイ２０Ｂに表示させ、その後、ステップ２２８へ移行する。
【０１１２】
ステップ２２８では、導出部１６により、メモリ４４に記憶されている全ての参考用の風速及び風向がステップ２２３で取得されたか否かが判定される。ステップ２２８において、メモリ４４に記憶されている全ての参考用の風速及び風向がステップ２２３で取得されていない場合は、判定が否定されてステップ２２３へ移行する。ステップ２２８において、メモリ４４に記憶されている全ての参考用の風速及び風向がステップ２２３で取得された場合は、判定が肯定されて風向・風速測定処理を終了する。
【０１１３】
以上説明したように、本第２実施形態では、第１音響管２６、第２音響管２８、第３音響管３０及び第４音響管３２の各々の共振音が検出部１４により検出される。また、第１〜第３の組の各組に含まれる３本の音響管の各々の共振音が検出された時期の時間差と、３本の音響管の各々の前記一端部の位置とに基づいて参考用の風速が導出部１６によって導出される。そして、導出された組毎の参考用の風速に基づいて、風速及び風向が導出部１６によって導出される。従って、本第２実施形態に係るスマートフォン１０Ａは、風速及び風向を高精度に測定することができる。
【０１１４】
また、本第２実施形態では、導出部１６により、第４音響管３２を含む組の参考用の風速及び風向が重み付けされ、重み付けされた参考用の風速及び風向に基づいて、最終出力とされる風向及び風速が導出される。従って、本第２実施形態に係るスマートフォン１０Ａは、風速及び風向をより一層高精度に測定することができる。
【０１１５】
なお、上記第２実施形態では、４本の音響管を用いて風向及び風速を導出する形態例を挙げて説明したが、開示の技術はこれに限定されるものではなく、５本以上の音響管を用いて風向及び風速を導出してもよい。この場合も、３本の音響管を一組とし、組毎に参考用の風向及び風速を求め、組毎に求めた参考用の風向及び風速に基づいて最終出力の風向及び風速を導出すればよい。
【０１１６】
［第３実施形態］
上記各実施形態では、３本以上の音響管を用いて風速及び風向を導出する例を挙げて説明したが、本第３実施形態では２本の音響管を用いて風速及び風向を導出する場合について説明する。なお、本第３実施形態では、上記各実施形態で説明した構成要素と同一の構成要素に同一の符号を付し、説明を省略する。
【０１１７】
一例として図１５に示すように、本第２実施形態に係るスマートフォン１０Ｂは、上記第１実施形態で説明したスマートフォン１０と比較して、開口２４Ｂを除いた点が異なっている。また、一例として図１６に示すように、スマートフォン１０Ｂは、上記第１実施形態で説明したスマートフォン１０と比較して、第２音響管２６を除いた点が異なっている。
【０１１８】
次に、本第３実施形態の作用として、スマートフォン１０Ｂによって行われる風向・風速測定処理について、図１７を参照して説明する。図１７に示す風向・風速測定処理は、図７に示す風向・風速測定処理と比較して、ステップ１０８〜ステップ１２６に代えてステップ３００〜ステップ３２２を設けた点が異なっている。なお、本第３実施形態では、上記第１実施形態で説明したステップと同一のステップに同一の符号を付して、説明を省略する。
【０１１９】
ステップ３００では、検出部１４により、メモリ４４に記憶されている録音データのうち未処理の特定時間内の録音データから第１音響管２６の共振周波数を対象にして周波数分析が行われ、その後、ステップ３０２へ移行する。
【０１２０】
ステップ３０２では、検出部１４により、ステップ３００で周波数分析が行われることで、第１音響管２６の共振音が検出されたか否かが判定される。ステップ３０２において、第１音響管２６の共振音が検出されていない場合は、判定が否定されてステップ３２２へ移行する。ステップ３０２において、第１音響管２６の共振音が検出された場合は、判定が肯定されてステップ３０４へ移行する。
【０１２１】
ステップ３０４では、検出部１４により、ステップ３０２で検出された共振音の音圧レベルが所定の音圧レベル以上であるか否かが判定される。ステップ３０４において、ステップ３０２で検出された共振音の音圧レベルが所定の音圧レベル未満である場合は、判定が否定されてステップ３２２へ移行する。ステップ３０４において、ステップ３０２で検出された共振音の音圧レベルが所定の音圧レベル以上である場合は、判定が肯定されてステップ３０６へ移行する。
【０１２２】
ステップ３０６では、導出部１６により、第１音響管２６を特定する第１音響管タグが付与された現在の時刻がメモリ４４に記憶され、その後、ステップ３０８へ移行する。
【０１２３】
ステップ３０８では、検出部１４により、メモリ４４に記憶されている録音データのうち特定の時間帯の録音データから第３音響管３０の共振周波数を対象にして周波数分析が行われ、その後、ステップ３１０へ移行する。
【０１２４】
ステップ３１０では、検出部１４により、ステップ３０８で周波数分析が行われることで、第３音響管３０の共振音が検出されたか否かが判定される。ステップ３１０において、第３音響管３０の共振音が検出されていない場合は、判定が否定されてステップ３２２へ移行する。ステップ３１０において、第３音響管３０の共振音が検出された場合は、判定が肯定されてステップ３１２へ移行する。
【０１２５】
ステップ３１２では、検出部１４により、ステップ３１０で検出された共振音の音圧レベルが所定の音圧レベル以上であるか否かが判定される。ステップ３１２において、ステップ３１０で検出された共振音の音圧レベルが所定の音圧レベル未満である場合は、判定が否定されてステップ３２２へ移行する。ステップ３１２において、ステップ３１０で検出された共振音の音圧レベルが所定の音圧レベル以上である場合は、判定が肯定されてステップ３１４へ移行する。
【０１２６】
ステップ３１４では、導出部１６により、第３音響管３０を特定する第３音響管タグが付与された現在の時刻がメモリ４４に記憶され、その後、ステップ３１６へ移行する。
【０１２７】
ステップ３１６では、導出部１６により、メモリ４４に記憶されている第１音響管タグが付与されている時刻と第３音響管タグが付与されている時刻との時間差に基づいて、雑音が共振音として誤検出されたか否かが判定される。
【０１２８】
ステップ３１６において、雑音が共振音として誤検出された場合は、判定が肯定されてステップ３２２へ移行する。ステップ３１６において、雑音が共振音として誤検出されていない場合は、判定が否定されてステップ３１８へ移行する。
【０１２９】
ステップ３１８では、導出部１６により、メモリ４４に記憶されている第１音響管タグが付与されている時刻と第３音響管タグが付与されている時刻との時間差に基づいて風速及び風向が導出される。例えば、第１音響管２６が所定音圧レベル以上の共振音を発してから第３音響管３０が所定音圧レベル以上の共振音を発するまでの時間差が０．５ｍ／ｓの場合、風速は２０ｍ／ｓ（＝１ｃｍ／０．５ｍｓ）である。また、第１音響管２６が第３音響管３０よりも先に所定音圧レベル以上の共振音を発した場合、第１音響管２６の一端部から第３音響管３０の一端部へ向かう方向が風向として導出される。逆に、第３音響管３０が第１音響管２６よりも先に所定音圧レベル以上の共振音を発した場合、第３音響管３０の一端部から第１音響管２６の一端部へ向かう方向が風向として導出される。
【０１３０】
次のステップ３２０では、導出部１６により、ステップ３１８で導出された風速及び風向を示す情報をディスプレイ２０Ｂに表示させ、その後、ステップ３２２へ移行する。
【０１３１】
ステップ３２２では、導出部１６により、メモリ４４に記憶されている全ての録音データが共振音の検出対象（ステップ３００の周波数分析の対象）とされたか否かが判定される。ステップ３２２において、メモリ４４に記憶されている全ての録音データが共振音の検出対象とされていない場合は、判定が否定されてステップ３００へ移行する。ステップ３２２において、メモリ４４に記憶されている全ての録音データが共振音の検出対象とされた場合は、判定が肯定されて風向・風速測定処理を終了する。
【０１３２】
以上説明したように、本第３実施形態では、第１音響管２６及び第３音響管３０の各々が発した異なる周波数の共振音が検出部１４により検出される。そして、検出部１４により異なる周波数の共振音が検出された場合に、検出された時期の時間差と、検出された音の各々を発した第１音響管２６及び第３音響管３０の各々の一端部の位置とに基づいて風向及び風速が導出される。従って、本第３実施形態に係るスマートフォン１０Ｂは、風速及び風向の測定を簡素な構成で実現することができる。
【０１３３】
なお、上記各実施形態では、風速及び風向を導出する場合を例示したが、開示の技術はこれに限定されるものではなく、風速又は風向を導出するようにしてもよい。
【０１３４】
また、上記各実施形態では、ソフトウェア構成で図１に示す各部（例えば検出部１４及び導出部１６）を実現する場合の形態例を挙げて説明したが、開示の技術はこれに限定されない。図１に示す検出部１４及び導出部１６の少なくとも１つがハードウェア構成で実現されてもよい。この場合、ハードウェア資源として、複数の機能の回路を１つにまとめた集積回路であるＡＳＩＣ（Application Specific Integrated Circuit）やプログラマブルロジックデバイスを利用する例が挙げられる。
【０１３５】
次に、上記数式（５）及び数式（６）の導出方法を図１８に示す例を参照して説明する。
【０１３６】
Ｖについては次の数式（１１）及び数式（１２）が成り立つ。
【０１３７】
Ｖｙｓｉｎα＝Ｖ・・・・（１１）
【０１３８】
Ｖｘｃｏｓα＝Ｖ・・・・（１２）
【０１３９】
数式（１１）及び数式（１２）によりｓｉｎα及びｃｏｓαは次の数式（１３）及び数式（１４）により表される。
【０１４０】
ｓｉｎα＝Ｖ／Ｖｙ・・・・（１３）
【０１４１】
ｃｏｓα＝Ｖ／Ｖｘ・・・・（１４）
【０１４２】
数式（１３）及び数式（１４）とｓｉｎ２α＋ｃｏｓ２α＝１の公式より次の数式（１５）が成り立つ。
【０１４３】
【数３】
2014153267.tif 000008
数式（１５）よりＶ２は次の数式（１６）で表される。
【０１４４】
【数４】
2014153267.tif 000009
一方、（Ｖｘ２＋Ｖｙ２）／Ｖｘ２Ｖｙ２＝１／Ｖｙ２＋１／Ｖｘ２＝Ｖｘ−２＋Ｖｙ−２＞０であるから、この逆数を取ると数式（１６）は次の数式（１７）に変形できる。
【０１４５】
Ｖ２＝（Ｖｘ−２＋Ｖｙ−２）−１・・・・（１７）
【０１４６】
ゆえに，Ｖは次の数式（１８）で表される。
【０１４７】
Ｖ＝（Ｖｘ−２＋Ｖｙ−２）−１／２・・・・（１８）
【０１４８】
また、数式（１３）及び数式（１４）によりｔａｎαは次の数式（１９）で表される。
【０１４９】
ｔａｎα＝ｓｉｎα／ｃｏｓα＝Ｖｘ／Ｖｙ・・・・（１９）
【０１５０】
次に、上記数式（９）及び数式（１０）（Ｖｘが不明な場合）の導出方法を図１９に示す例を参照して説明する。
【０１５１】
Ｖｗを用いると図１９からＶが次の数式（２０）で表される。
【０１５２】
Ｖｗ・ｃｏｓ（ｗ−α）＝Ｖ・・・・（２０）
【０１５３】
数式（１２）、数式（２０）及び三角関数の公式である数式（２０Ａ）からＶｘは数式（２１）で表される。
【０１５４】
ｃｏｓ（ｗ−α）＝ｃｏｓｗｃｏｓα＋ｓｉｎｗｓｉｎα・・・・（２０Ａ）
【０１５５】
【数５】
2014153267.tif 000010
数式（２１）を数式（１８）に代入するとＶは次の数式（２２）で表される。
【０１５６】
Ｖ＝（（Ｖｗ（ｃｏｓｗ＋ｓｉｎｗ・ｔａｎα））−２＋Ｖｙ−２）−１／２・・・・（２２）
【０１５７】
ここで、ｔａｎαは数式（１９）及び数式（２１）から次の数式（２３）に示すように変形できる。
【０１５８】
【数６】
2014153267.tif 000011
従って、ｔａｎαは次の数式（２４）で表される。
【０１５９】
ｔａｎα＝Ｖｗ・ｃｏｓｗ／（Ｖｙ−Ｖｗ・ｓｉｎｗ）・・・・・（２４）
【０１６０】
数式（２４）を数式（２２）に代入すると、Ｖは次の数式（２５）で表され、数式（２５）及び数式（２６）から数式（２７）が導出される。
【０１６１】
【数７】
2014153267.tif 000012
【数８】
2014153267.tif 000013
【数９】
2014153267.tif 000014
次に、上記数式（７）及び数式（８）（Ｖｙが不明な場合）の導出方法を図１９に示す例を参照して説明する。
【０１６２】
数式（１１）、数式（２０）及び三角関数の公式である数式（２８）からＶｙは数式（２９）で表される。
【０１６３】
ｃｏｓ（ｗ−α）＝ｃｏｓｗｃｏｓα＋ｓｉｎｗｓｉｎα・・・・（２８）
【０１６４】
【数１０】
2014153267.tif 000015
数式（２９）を数式（１８）に代入するとＶは次の数式（３０）で表される。
【０１６５】
Ｖ＝（Ｖｘ−２＋（Ｖｗ（ｃｏｓｗ／ｔａｎα＋ｓｉｎｗ））−２）−１／２・・・（３０）
【０１６６】
ここで、ｔａｎαは数式（１９）及び数式（２９）から次の数式（３１）に変形できる。
【０１６７】
【数１１】
2014153267.tif 000016
数式（３１）は数式（３２）に変形できる。
【０１６８】
【数１２】
2014153267.tif 000017
よって、ｔａｎαは数式（３２）から次の数式（３３）で表される。
【０１６９】
ｔａｎα＝（Ｖｘ−Ｖｗｃｏｓｗ）／（Ｖｗｓｉｎｗ）・・・・（３３）
【０１７０】
数式（３３）を数式（３０）に代入すると、Ｖは次の数式（３４）で表される。
【０１７１】
【数１３】
2014153267.tif 000018
数式（３４）は数式（２５）のＶｘをＶｙに、ｓｉｎｗをｃｏｓｗに置き換えたものと同値であるから同じように変形すると、次の数式（３５）で表される。
【０１７２】
【数１４】
2014153267.tif 000019
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【０１７３】
以上の実施形態に関し、更に以下の付記を開示する。
【０１７４】
（付記１）
各々外部からの風を受ける一端部が離間して配置され、各々異なる周波数の共振音を発する複数の音響管と、前記複数の音響管の各々から発せられた前記共振音を検出する検出部と、前記検出部が少なくとも２本の音響管の各々から発せられた前記共振音を検出した場合に、前記共振音が検出された前記少なくとも２本の音響管の前記共振音が検出された時期の時間差、及び前記共振音が検出された前記少なくとも２本の音響管の一端部の位置に基づいて風向及び風速の少なくとも１つを導出する導出部と、を含む情報処理装置。
【０１７５】
（付記２）
前記複数の音響管は、何れか３本の音響管の一端部の各々が三角形の頂点の各々に対応する位置に配置された３本以上の音響管を含み、前記導出部は、前記検出部が三角形の頂点の各々に対応する位置に配置された３本の音響管の各々から発せられた前記共振音を検出した場合に、前記共振音が検出された３本の音響管の各々の前記共振音が検出された時期の時間差、及び前記共振音が検出された３本の音響管の一端部の位置に基づいて風向及び風速の少なくとも１つを導出する付記１に記載の情報処理装置。
【０１７６】
（付記３）
前記導出部は、前記検出部が三角形の頂点の各々に対応する位置に配置された３本の音響管の各々から発せられた前記共振音を検出した場合に、前記共振音が検出された３本の音響管のうちの１本の音響管を基準音響管とし、前記基準音響管の前記共振音が検出された時期と残りの２本の音響管の各々の前記共振音が検出された時期の時間差との時間差、及び前記共振音が検出された３本の音響管の一端部の位置に基づいて風向及び風速の少なくとも１つを導出する付記２に記載の情報処理装置。
【０１７７】
（付記４）
前記導出部は、前記検出部が４本以上の音響管の各々から発せられた前記共振音を検出した場合に、三角形の頂点の各々に対応する位置に配置された３本の音響管を一組の音響管とし、組毎に風向及び風速の少なくとも１つを導出し、組毎の導出結果に基づいて、最終出力とされる風向及び風速の少なくとも１つを導出する付記２又は付記３に記載の情報処理装置。
【０１７８】
（付記５）
前記導出部は、前記組毎の導出結果に対して前記組毎に予め定められた重みを付与し、重みが付与された前記組毎の導出結果に基づいて、最終出力とされる風向及び風速の少なくとも１つを導出する付記４に記載の情報処理装置。
【０１７９】
（付記６）
前記検出部は、音圧レベルが閾値を超えた前記共振音を検出する付記１〜付記５の何れか１項に記載の情報処理装置。
【０１８０】
（付記７）
通話用の音声を検出するマイクロフォンを更に含み、前記検出部は、前記マイクロフォンを利用して前記共振音を検出する付記１〜付記６の何れか１項に記載の情報処理装置。
【０１８１】
（付記８）
各々外部からの風を受ける一端部が離間して配置され、各々異なる周波数の共振音を発する複数の音響管の各々から発せられた前記共振音を検出し、少なくとも２本の音響管の各々から発せられた前記共振音を検出した場合に、前記共振音が検出された前記少なくとも２本の音響管の前記共振音が検出された時期の時間差、及び前記共振音が検出された前記少なくとも２本の音響管の一端部の位置に基づいて風向及び風速の少なくとも１つを導出することを含む情報処理方法。
【０１８２】
（付記９）
コンピュータに、各々外部からの風を受ける一端部が離間して配置され、各々異なる周波数の共振音を発する複数の音響管の各々から発せられた前記共振音を検出し、少なくとも２本の音響管の各々から発せられた前記共振音を検出した場合に、前記共振音が検出された前記少なくとも２本の音響管の前記共振音が検出された時期の時間差、及び前記共振音が検出された前記少なくとも２本の音響管の一端部の位置に基づいて風向及び風速の少なくとも１つを導出することを含む処理を実行させるための情報処理プログラム。
【符号の説明】
【０１８３】
１０  スマートフォン
１４  検出部
１６  導出部
２２  マイクロフォン
２６  第１音響管
２８  第２音響管
３０  第３音響管
３２  第４音響管
【図１】
2014153267.tif 000020
【図２】
2014153267.tif 000021
【図３】
2014153267.tif 000022
【図４】
2014153267.tif 000023
【図５】
2014153267.tif 000024
【図６】
2014153267.tif 000025
【図７】
2014153267.tif 000026
【図８】
2014153267.tif 000027
【図９】
2014153267.tif 000028
【図１０】
2014153267.tif 000029
【図１１】
2014153267.tif 000030
【図１２】
2014153267.tif 000031
【図１３】
2014153267.tif 000032
【図１４】
2014153267.tif 000033
【図１５】
2014153267.tif 000034
【図１６】
2014153267.tif 000035
【図１７】
2014153267.tif 000036
【図１８】
2014153267.tif 000037
【図１９】
2014153267.tif 000038